(57)【要約】 【構成】  インターシャ柄の境界が不連続に変化し、ヤーンフィーダーの給糸終了位置と次の給糸開始位置がジャンプする区間に対して、ヤーンフィーダーを１往復させ、往路と復路とで問題の区間の編目を半分ずつ形成する。【効果】  インターシャ柄の境界が不連続に変化しても、糸の飛びが生じない。【選択図】     図４  
2005232603.tif 000002
【特許請求の範囲】
【請求項１】
インターシャ柄の境界で、ヤーンフィーダーの給糸終了位置と次コースでの給糸再開位置とが編成コース方向に異なる区間に対して、
該区間を前記ヤーンフィーダーを往復させて、往路で該区間の１コース分の編目中の一部の編目を形成し、復路で該区間の１コース分の編目中の残りの編目を形成することにより、前記往路と復路の合計で該区間に１コース分の編目を形成するスムージング編成を行い、
かつ前記スムージング編成の往路と復路の間には、該区間に対して他のヤーンフィーダーを用いた編成を行わないようにするインターシャ柄の編成方法。
【請求項２】
編成を少なくとも先行のヤーンフィーダーと後行のヤーンフィーダーとを用いて行い、  
先行あるいは後行のヤーンフィーダーを用いる柄が、現コースに対して次コースで、編成コース方向において増す区間に対し、該区間の編目の一部を現在の編成コースで形成し、該区間の残りの編目を次の編成コースで形成し、
先行あるいは後行のヤーンフィーダーを用いる柄が、現コースに対して次コースで、編成コース方向において減る区間に対し、該区間の編目の一部を現在の編成コースで形成して、該区間の残りの編目を次の編成コースで形成することを特徴とする、請求項１のインターシャ柄の編成方法。
【請求項３】
前記先行のヤーンフィーダーを用いる柄が次コースで増す区間に対し、前記次コースの編目の一部を除いて、前記現在の編成コースでの編成を行った後に、先行のヤーンフィーダーを戻して前記次コースの編目の一部を形成し、
かつ前記次コースで減る区間が後行のヤーンフィーダーを用いる区間である場合に、該区間に対し、前記次の編成コースで前記残りの編目を形成した後に、先行のヤーンフィーダーを戻して、先行のヤーンフィーダーで該区間の次コースの編目を形成することを特徴とする、請求項２のインターシャ柄の編成方法。
【請求項４】
柄Ａが柄Ｂに対してコース方向１目幅で突き出したインターシャ柄を編成する際に、
前記突出部の長さ分の区間に対して、柄Ａ用のヤーンフィーダーと柄Ｂ用のヤーンフィーダーの一方のヤーンフィーダーを往復させて、前記スムージング編成を行い、
さらにこの後、柄Ａ用と柄Ｂ用の他方のヤーンフィーダーを、前記突出部の長さ分の区間を往復させて、スムージング編成を行うようにしたことを特徴とする、請求項１〜３のいずれかのインターシャ柄の編成方法。
【請求項５】
インターシャ柄の境界が不連続に変化する区間に対して、該区間の前コースの編目の列上に、該区間の編目中の一部の編目からなるコースと、該区間の編目中の残りの編目からなるコース、とが共に形成されて、合計で該区間の１コース分の編目を成している、インターシャ柄を含む編地。
【請求項６】
柄Ａが柄Ｂに対してコース方向１目幅で突き出した編地であって、
前記突出部の長さ分の区間に対して、該区間の前コースの編目の列上に、柄Ａ用と柄Ｂ用の一方の糸の編目列が、該区間の編目中の一部の編目からなるコースと、該区間の編目中の残りの編目からなるコースの２コース分形成されて、合計で前記一方の糸の該区間での１コース分の編目となり、
かつ前記一方の糸の該区間での１コース分の編目の列上に、柄Ａ用と柄Ｂ用の他方の糸の編目列が、該区間の編目中の一部の編目からなるコースと、該区間の編目中の残りの編目からなるコースの２コース分形成されて、前記他方の糸の該区間での合計１コース分の編目を成していることを特徴とする、請求項５のインターシャ柄を含む編地。
【請求項７】
ニット編地のデザインを編機での編成方法に変換するための、ニットデザイン装置において、
インターシャ柄の境界で、ヤーンフィーダーの給糸終了位置と次コースでの給糸再開位置とが編成コース方向に異なる区間を検出するための検出手段と、
検出した区間に対して、ヤーンフィーダーを往復させて、往路で該区間の１コース分の編目中の一部の編目を形成し、復路で該区間の１コース分の編目中の残りの編目を形成することにより、前記往路と復路の合計で該区間に１コース分の編目を形成するスムージング編成命令を発生させるためのスムージング手段、とを設けると共に、
かつ前記往路と復路の間には、該区間に対して他のヤーンフィーダーを用いた編成を行わないようにしたことを特徴とする、ニットデザイン装置。
【請求項８】
編成を少なくとも先行のヤーンフィーダーと後行のヤーンフィーダーとを用いて行うようにすると共に、  
先行あるいは後行のヤーンフィーダーを用いる柄が、現コースに対して次コースで、編成コース方向において増す区間に対し、該区間の編目の一部を現在の編成コースで形成し、該区間の残りの編目を次の編成コースで形成するように編成命令を発生し、
かつ先行あるいは後行のヤーンフィーダーを用いる柄が、現コースに対して次コースで、編成コース方向において減る区間に対し、該区間の編目の一部を現在の編成コースで形成して、該区間の残りの編目を次の編成コースで形成するように編成命令を発生する、ことを特徴とする、請求項７のニットデザイン装置。
【請求項９】
前記先行のヤーンフィーダーを用いる柄が次コースで増す区間に対し、前記次コースの編目の一部を除いて、前記現在の編成コースでの編成を行った後に、先行のヤーンフィーダーを戻して前記次コースの編目の一部を形成するように編成命令を発生し、
かつ前記次コースで減る区間が後行のヤーンフィーダーを用いる区間である場合に、該区間に対し、前記次の編成コースで前記残りの編目を形成した後に、先行のヤーンフィーダーを戻して、先行のヤーンフィーダーで該区間の次コースの編目を形成する編成命令を発生する、ようにしたことを特徴とする、請求項８のニットデザイン装置。
【請求項１０】
インターシャ柄の境界で、ヤーンフィーダーの給糸終了位置と次コースでの給糸再開位置とが編成コース方向に異なる区間を検出するための検出命令と、
検出した区間に対して、ヤーンフィーダーを往復させて、往路で該区間の１コース分の編目中の一部の編目を形成し、復路で該区間の１コース分の編目中の残りの編目を形成することにより、前記往路と復路の合計で該区間に１コース分の編目を形成するスムージング編成命令を発生させるためのスムージング命令、とを設けると共に、
かつ前記往路と復路の間には、該区間に対して他のヤーンフィーダーを用いた編成を行わないようにした、編成プログラム。
【請求項１１】
編成を少なくとも先行のヤーンフィーダーと後行のヤーンフィーダーとを用いて行うようにすると共に、  
先行あるいは後行のヤーンフィーダーを用いる柄が、現コースに対して次コースで、編成コース方向において増す区間に対し、該区間の編目の一部を現在の編成コースで形成し、該区間の残りの編目を次の編成コースで形成するように編成命令を発生し、
かつ先行あるいは後行のヤーンフィーダーを用いる柄が、現コースに対して次コースで、編成コース方向において減る区間に対し、該区間の編目の一部を現在の編成コースで形成して、該区間の残りの編目を次の編成コースで形成するように編成命令を発生する、ことを特徴とする、請求項１０の編成プログラム。
【請求項１２】
前記先行のヤーンフィーダーを用いる柄が次コースで増す区間に対し、前記次コースの編目の一部を除いて、前記現在の編成コースでの編成を行った後に、先行のヤーンフィーダーを戻して前記次コースの編目の一部を形成するように編成命令を発生し、
かつ前記次コースで減る区間が後行のヤーンフィーダーを用いる区間である場合に、該区間に対し、前記次の編成コースで前記残りの編目を形成した後に、先行のヤーンフィーダーを戻して、先行のヤーンフィーダーで該区間の次コースの編目を形成する編成命令を発生する、ことを特徴とする、請求項１１の編成プログラム。
【発明の詳細な説明】
【技術分野】
【０００１】
この発明はインターシャ柄の編成に関し、特にインターシャ柄の境界が不連続に変化した際の処理に関する。
【背景技術】
【０００２】
インターシャ編成では、複数のヤーンフィーダー（給糸口）を使用して、例えば色の異なる糸を用いて色柄などを表現する。そして柄と柄との境界をタックで連結する。またヤーンフィーダーはキャリッジで連行と連行の解除とを行い、キャリッジには例えば２以上のカムシステムを備えたものを用い、先行のカムシステムと後行のカムシステムとで２つのヤーンフィーダーを制御する。ところでインターシャ編成で柄の境界が不連続に変化すると、現コースでのヤーンフィーダーの給糸終了位置と次コースでの給糸再開位置とが編成コース方向に異なることになる。言い換えると、ヤーンフィーダーの前コースでの給糸終了位置と次コースでの給糸開始位置とが不連続にジャンプする。するとこの間の区間で、編地の裏側などを糸が這うことになる。編地の裏側を糸が這うことは、糸の飛びと呼ばれる。
【０００３】
図１１，図１２に、インターシャ柄の境界での糸の飛びを示す。図１１で柄Ａと柄Ｂは異なる色の糸でインターシャ編成され、柄Ａから柄Ｂにコース方向１目の幅で柄Ａが突き出す突出部１０５があるものとする。柄Ａ用のヤーンフィーダーは図の１０２の軌跡で運動し、柄Ｂ用のヤーンフィーダーは図の１０４の軌跡で運動するものとする。柄Ａ用のヤーンフィーダーは、突出部１０５の先端で給糸を終了した後に、次コースで図１１の左側にジャンプした位置から給糸を再開するので、この間に糸の飛び１０６が生じる。同様に、柄Ｂ用のヤーンフィーダーでは、突出部１０５の直前のコースでの給糸終了位置から突出部１０５の右側での給糸開始位置にジャンプし、この間に糸の飛び１０８が生じる。糸の飛びはヤーンフィーダーの移動方向を逆にしても解消しない。例えばヤーンフィーダーの軌跡を図１１と左右逆にすると、柄Ａ用のヤーンフィーダーでは、突出部１０５の直前のコースと突出部１０５の右端との間に糸の飛びが生じ、柄Ｂ用のヤーンフィーダーでは、突出部１０５の右端と次のコースでの突出部１０５の根元との間に糸の飛びが生じる。
【０００４】
糸の飛びは図１１のような例に限らず、柄の境界が不連続にジャンプすると生じる。このような例を図１２に示すと、柄の境界がジャンプすることに伴い、糸の飛び１１０，１１２が生じる。編地の裏側に生じた糸の飛びは、指が引っ掛かったりしやすく編地が傷む原因になりやすい、編地を裏から見た際の見映えが悪いなどの問題がある。図１２の糸の飛び１１０の場合、ヤーンフィーダーはＵ字状に移動するので、糸の飛び１１０の柄Ｂ側の先端をタックなどで固定しないと、次のコースの編成が難しい。そして糸が飛ぶ個所に複数のタックを設けて、タックで糸の飛びを固定する場合、タックの間隔が広いと隙間に指が掛かりやすく、狭いと次のニット時に針が上昇した際にタック目が外れることがある。
【０００５】
特許文献１はインターシャ編成用のヤーンフィーダーの構造に付いて開示している。
特許文献２は、インターシャ柄と組織柄とを含む編地のデザイン方法を開示している。
【特許文献１】特公昭６１−５１０６１号公報
【特許文献２】特許第２９１６９９０号公報
【発明の開示】
【発明が解決しようとする課題】
【０００６】
この発明の課題は、インターシャ柄の境界が不連続に変化する際にも、糸の飛びが生じないようにすることにある。
請求項２，８，１１の発明での追加の課題は、上記のための具体的な編成方法を提供することにある。
請求項４，６の発明での追加の課題は、一方の柄が他方の柄中にコース方向に１目分の幅で突き出している場合にも、糸の飛びが生じないようにすることにある。
請求項３，９，１２の発明での追加の課題は、往路と復路との双方で１コース分の編目を形成する間に、他のヤーンフィーダーによる編成が介在して柄が崩れることを防止することにある。
【課題を解決するための手段】
【０００７】
この発明のインターシャ柄の編成方法では、インターシャ柄の境界で、ヤーンフィーダーの給糸終了位置と次コースでの給糸再開位置とが編成コース方向に異なる区間に対して、
該区間を前記ヤーンフィーダーを往復させて、往路で該区間の１コース分の編目中の一部の編目を形成し、復路で該区間の１コース分の編目中の残りの編目を形成することにより、前記往路と復路の合計で該区間に１コース分の編目を形成するスムージング編成を行い、
かつ前記スムージング編成の往路と復路の間には、該区間に対して他のヤーンフィーダーを用いた編成を行わないようにする。
【０００８】
好ましくは、編成を少なくとも先行のヤーンフィーダーと後行のヤーンフィーダーとを用いて行い、  
先行あるいは後行のヤーンフィーダーを用いる柄が、現コースに対して次コースで、編成コース方向において増す区間に対し、該区間の編目の一部を現在の編成コースで形成し、該区間の残りの編目を次の編成コースで形成し、
先行あるいは後行のヤーンフィーダーを用いる柄が、現コースに対して次コースで、編成コース方向において減る区間に対し、該区間の編目の一部を現在の編成コースで形成して、該区間の残りの編目を次の編成コースで形成する。
【０００９】
特に好ましくは、前記先行のヤーンフィーダーを用いる柄が次コースで増す区間に対し、前記次コースの編目の一部を除いて、前記現在の編成コースでの編成を行った後に、先行のヤーンフィーダーを戻して前記次コースの編目の一部を形成し、
かつ前記次コースで減る区間が後行のヤーンフィーダーを用いる区間である場合に、該区間に対し、前記次の編成コースで前記残りの編目を形成した後に、先行のヤーンフィーダーを戻して、先行のヤーンフィーダーで該区間の次コースの編目を形成する。
【００１０】
好ましくは、柄Ａが柄Ｂに対してコース方向１目幅で突き出したインターシャ柄を編成する際に、
前記突出部の長さ分の区間に対して、柄Ａ用のヤーンフィーダーと柄Ｂ用のヤーンフィーダーの一方のヤーンフィーダーを往復させて、前記スムージング編成を行い、
さらにこの後、柄Ａ用と柄Ｂ用の他方のヤーンフィーダーを、前記突出部の長さ分の区間を往復させて、スムージング編成を行う。
【００１１】
この発明のインターシャ柄を含む編地は、インターシャ柄の境界が不連続に変化する区間に対して、該区間の前コースの編目の列上に、該区間の編目中の一部の編目からなるコースと、該区間の編目中の残りの編目からなるコース、とが共に形成されて、合計で該区間の１コース分の編目を成しているものである。
好ましくはインターシャ柄を含む編地は、柄Ａが柄Ｂに対してコース方向１目幅で突き出した編地であって、
前記突出部の長さ分の区間に対して、該区間の前コースの編目の列上に、柄Ａ用と柄Ｂ用の一方の糸の編目列が、該区間の編目中の一部の編目からなるコースと、該区間の編目中の残りの編目からなるコースの２コース分形成されて、合計で前記一方の糸の該区間での１コース分の編目となり、
かつ前記一方の糸の該区間での１コース分の編目の列上に、柄Ａ用と柄Ｂ用の他方の糸の編目列が、該区間の編目中の一部の編目からなるコースと、該区間の編目中の残りの編目からなるコースの２コース分形成されて、前記他方の糸の該区間での合計１コース分の編目を成していることを特徴とする。
【００１２】
この発明はまた、ニット編地のデザインを編機での編成方法に変換するための、ニットデザイン装置において、
インターシャ柄の境界で、ヤーンフィーダーの給糸終了位置と次コースでの給糸再開位置とが編成コース方向に異なる区間を検出するための検出手段と、
検出した区間に対して、ヤーンフィーダーを往復させて、往路で該区間の１コース分の編目中の一部の編目を形成し、復路で該区間の１コース分の編目中の残りの編目を形成することにより、前記往路と復路の合計で該区間に１コース分の編目を形成するスムージング編成命令を発生させるためのスムージング手段、とを設けると共に、
かつ前記往路と復路の間には、該区間に対して他のヤーンフィーダーを用いた編成を行わないようにしたことを特徴とする。
【００１３】
この発明の編成プログラムでは、インターシャ柄の境界で、ヤーンフィーダーの給糸終了位置と次コースでの給糸再開位置とが編成コース方向に異なる区間を検出するための検出命令と、
検出した区間に対して、ヤーンフィーダーを往復させて、往路で該区間の１コース分の編目中の一部の編目を形成し、復路で該区間の１コース分の編目中の残りの編目を形成することにより、前記往路と復路の合計で該区間に１コース分の編目を形成するスムージング編成命令を発生させるためのスムージング命令、とを設けると共に、
かつ前記往路と復路の間には、該区間に対して他のヤーンフィーダーを用いた編成を行わないようにする。
【００１４】
好ましくはこの発明のニットデザイン装置や編成プログラムにおいて、編成を少なくとも先行のヤーンフィーダーと後行のヤーンフィーダーとを用いて行うようにすると共に、  先行あるいは後行のヤーンフィーダーを用いる柄が、現コースに対して次コースで、編成コース方向において増す区間に対し、該区間の編目の一部を現在の編成コースで形成し、該区間の残りの編目を次の編成コースで形成するように編成命令を発生し、
かつ先行あるいは後行のヤーンフィーダーを用いる柄が、現コースに対して次コースで、編成コース方向において減る区間に対し、該区間の編目の一部を現在の編成コースで形成して、該区間の残りの編目を次の編成コースで形成するように編成命令を発生する。
【００１５】
特に好ましくはこの発明のニットデザイン装置や編成プログラムにおいて、前記先行のヤーンフィーダーを用いる柄が次コースで増す区間に対し、前記次コースの編目の一部を除いて、前記現在の編成コースでの編成を行った後に、先行のヤーンフィーダーを戻して前記次コースの編目の一部を形成するように編成命令を発生し、
かつ前記次コースで減る区間が後行のヤーンフィーダーを用いる区間である場合に、該区間に対し、前記次の編成コースで前記残りの編目を形成した後に、先行のヤーンフィーダーを戻して、先行のヤーンフィーダーで該区間の次コースの編目を形成する編成命令を発生する。
【発明の効果】
【００１６】
この発明のインターシャ柄の編成方法や、インターシャ柄を含む編地では、ヤーンフィーダーの給糸終了位置と給糸開始位置とが編成コース方向に異なる区間に対して、前のコースの編目列上に、スムージング編成でのヤーンフィーダーの往路で約半分の編目を編成し、これらの編目は互いにウェール方向（横方向）につながっている。なお「編成コース方向に異なる」とは例えば１目以上異なることであるが、１目の場合には異なるものとせず、２目以上などで異なるものとしても良い。また実施例では、給糸終了位置と給糸開始位置とが編成コース方向に異なることを、柄の境界がジャンプするなどと表現する。この区間での残る約半分の編目は、ヤーンフィーダーの復路で形成され、これらの編目もウェール方向につながり、往路と復路で合計２コース分の編目が例えば１目置きに形成されて、全体としては１コース分の編目の列が形成される。そしてこの間にヤーンフィーダーは、以降の編成を行える位置に移動する。この発明では、糸の飛びを生じずに、柄の境界が不連続に変化するインターシャ柄を編成できる。このため編地の裏側を這う糸に指が引っ掛かるなどのトラブルや、編地を裏側から見た際の見映えが悪い、などの問題を解消できる。さらに糸の飛びがないので、編地のデザイン上の制約が少なくなる。またこの発明のニットデザイン装置や編成プログラムでは、上記の編成動作を編機に実行させて、インターシャ柄でのヤーンフィーダーの給糸終了位置と給糸開始位置とが不連続な区間を含む編地でも、糸の飛び無しで編成できる。
【００１７】
またこの発明では、コース方向に１目分の幅で、一方の柄が他方の柄中に突き出しているデザインでも、糸の飛び無しで編成できる。このためデザイン上の制約を減らすことができる。
【００１８】
さらに請求項２，８，１１のようにすると、往路と復路の間に他のヤーンフィーダーを介在させずに、スムージング編成を行うことができる（図４〜図６参照）。また請求項２，８，１１は、先行あるいは後行のヤーンフィーダーを用いる柄が増す区間に対して、柄が増した側の先端からヤーンフィーダーやキャリッジが進入する場合に特に意味がある。また柄が減る区間に対して、柄が減った側からヤーンフィーダーやキャリッジが進入する場合に特に意味がある。例えば先行のヤーンフィーダーを用いた柄が編成コース方向右側に増す場合、右側からこの区間にヤーンフィーダーやキャリッジが進入する場合が重要である。また柄が右側に後退して、柄の左側の区間が減る場合に、左側からヤーンフィーダーやキャリッジが進入する場合が重要である。
また請求項３，９，１２のようにヤーンフィーダーを戻す蹴り返しを行うと、往路と復路の間に他のヤーンフィーダーが介在して、柄が入れ替わることを防止できるだけでなく、インターシャ柄の境界でのタック位置がコース方向に１目分ずれることを防止して、タック位置を揃え、柄の境界を綺麗にすることができる（図４，図６，図７，図８参照）。
【発明を実施するための最良の形態】
【００１９】
以下に本発明を実施するための最適実施例を示す。
【実施例】
【００２０】
図１〜図１０に実施例を示す。図１に、実施例のニットデザイン装置２を示すと、４はデジタイザなどの画像入力手段で、６はキーボードなどの入力手段である。８はモニタであり、デザイン過程の編地やデザインした編地の画像、あるいはこのデザインをシミュレーションした画像などを表示すると共に、グラフィックユーザインターフェースとして、ユーザの入力を受け付ける。１０はカラープリンタで、編地のデザインデータやそのシミュレーション画像などをプリントする。１２はＬＡＮインターフェースで、デザイン画像や編成データあるいは編成プログラムなどの入出力に用い、ディスクドライブ１４は同様にディスクを介して画像やデザインデータ、シミュレーション画像、編成プログラムなどの入出力を行う。
【００２１】
１６はメモリで、デザインデータやデザイン画像、編成プログラムなどの各種のデータやプログラムを記憶し、１８はデータ変換部で、編地のデザインデータを横編機などの編機で編成できる編成データに変換する。編成データへの変換では、実際の編機で直ちに実行できる編成データに変換しても、あるいは実際の編機をやや抽象化した仮想的な編機の編成データに変換して、その後再度実際の編機で実行可能な編成データに変換するようにしても良い。
【００２２】
この発明では、インターシャ柄の境界が不連続に変化する際の糸の飛びを無くすための処理を行い、このためにジャンプ検出部２０と蹴り返し判定部２２，並びにスムージング編成部２４とを設ける。ジャンプ検出部２０は、インターシャ柄において柄の境界が不連続にジャンプしている個所を検出する。そして検出したコース（編地の横方向の編目列）とその上下のコースとが、スムージング編成の処理対象となる。蹴り返し判定部２２は後述の蹴り返しの要否を判定し、蹴り返しが必要な場合、それに従って編成コースの順序を変更する。なおこの明細書において、「編成コース」は単なる「コース」とは区別して用い、キャリッジの１回の移動を１「編成コース」という。「コース」は横方向につながった編目の列で、複数の編成コースで編成されることもある。またコース方向は、複数のコースに直角な方向で、例えば編地の上下方向である。さらにウェール方向は、ウェールに直角な方向で、例えば編地の横方向である。スムージング編成部２４は、糸の飛びが生じる区間に対して、該当するヤーンフィーダーを往復動させ、往路と復路で該当する区間に対して約半分ずつ編目列を形成し、合計でその区間の１コース分の編目列を編成させるための命令を発生する。この編成をスムージング編成という。ニットデザイン装置２は、ＬＡＮやディスクなどを介して横編機３０に対し編成データを供給し、インターシャ柄を含む編地などを編成させる。
【００２３】
図２に、実施例の編成アルゴリズムを示す。なお図２のアルゴリズムはインターシャ柄において、柄の境界が不連続に処理する区間での処理のみを示す。インターシャ柄において柄の境界を例えば１コースごとにチェックし、柄の境界のジャンプの有無を検出する。横編機では、キャリッジがニードルベッドの上を往復動し、これに伴ってヤーンフィーダーを連行し、あるいは連行を解除して、ヤーンフィーダーから針に給糸する。用いるヤーンフィーダーはインターシャ編成用のものが好ましいが、これ以外の通常のヤーンフィーダーでも良い。インターシャ編成用のヤーンフィーダーでは、連行を解除した後に給糸部がキャリッジの進行方向とは逆向きに揺動して、給糸部からの糸が次の柄の編成の妨げにならないようにできる。これに対して通常のヤーンフィーダーでは、連行を解除した後にキャリッジなどでヤーンフィーダーを次の柄の編成の妨げにならない位置へ移動させる必要があリ、編成効率が低下する。なおヤーンフィーダーを編成の妨げとならない位置へ退避させるような運動は、本発明のスムージング編成の往路や復路とは関係がない。またヤーンフィーダーはキャリッジの連行のみにより移動するようにしても、キャリッジとは別途にヤーンフィーダーを移動させる補助的な機構を設けて、キャリッジによる連行とヤーンフィーダーの移動機構とを併用するようにしたものでも良い。さらに柄の境界のジャンプがない場合、通常の編成手法に従って編成を行えばよい。
【００２４】
柄の境界がジャンプする編成コースと例えばその上下の編成コースに対して、キャリッジの運動とヤーンフィーダーの給糸開始位置や連行解除位置を調べ、連行解除位置から次の給糸開始位置までの間にヤーンフィーダーの位置のジャンプ（不連続な移動）があるかどうかをチェックする。このジャンプがなければ、糸の飛びが生じない。給糸開始位置がジャンプし、ヤーンフィーダーの連行解除位置と給糸開始位置との間にジャンプがある場合、この区間が糸の飛びが生じる区間となる。そこでこの区間の編成を往路と復路の２コースに分け、この区間の編目を半分ずつ編成することにより、糸の飛びを解消する。往路と復路の２コースに分割したこの編成がスムージング編成である。スムージング編成では、連行解除位置までヤーンフィーダーを連行してこの間通常の編成を行った後に、次コースでの連行再開位置までヤーンフィーダーを移動させ、この間にスムージング編成の往路を行い、その後にスムージング編成の復路を行っても良い。これは、そのヤーンフィーダーで編成する区間が拡がる場合に有効である。あるいはまた、連行解除位置までヤーンフィーダーを移動させる間に、スムージング編成の往路を行い、次の連行開始位置までヤーンフィーダーを移動させる間に、スムージング編成の復路を行っても良い。これは、そのヤーンフィーダーで編成する区間が縮まる場合に有効である。
【００２５】
往路と復路とから成るスムージング編成の間に、同じ区間に対して他のヤーンフィーダーを利用した編成が行われると、１コース分の編目列の間に他のヤーンフィーダーによる編目列が入り込むことにより、柄が入れ代わる。そこで往路と復路とから成るスムージング編成の間で、この区間に対して他のヤーンフィーダーによる給糸が行われるかどうかをチェックし、他のヤーンフィーダーによる給糸が行われる場合、蹴り返しを用いて編成順序を変更する、もしくは２つのヤーンフィーダーに対する先行後行を入れ換える。これによって柄の入れ代わりが解消する。ところでインターシャ柄の場合、給糸を再開すると、最初の編目を形成する前にタックを行い、これから編成する１コース分の編目を、編成済みの隣の柄の編目の列に連結する。ヤーンフィーダーの先行後行の順序を入れ替えると、どちらのコースが先に編成されるかの順序が入れ代わり、タックの位置がコース方向に１目分ずれることになる。蹴り返しではタックの位置がずれることはなく、規則的にタック目を配置し、インターシャでの柄のつなぎ目をきれいにできる。そして上記のような処理を例えば全コースに対して行うと、柄の境界の不連続なジャンプによる糸の飛びを解消できる。
【００２６】
図３に、実施例の編成プログラム４０を示すと、ジャンプ検出命令４２は、インターシャ柄の柄の境界が不連続に変化する個所の有無を検出し、このような個所を検出すると、蹴り返し判定命令４４で、蹴り返しの要否を判定する。また蹴り返し判定命令４４は、蹴り返しが必要な場合、編成順序の変更を行う。スムージング編成命令４６は、スムージング編成でのキャリッジの移動と、ヤーンフィーダーの連行や連行の解除、針の操作などの編成命令を発生させる。
【００２７】
図４〜図６に、スムージング編成の例を示す。図４〜図６において、ａやｂの記号はそれぞれ柄Ａ，柄Ｂに対するヤーンフィーダーを示し、ニットやタックに対する記号は図４の右上に示す。またＳ１〜Ｓ５などの記号は、キャリッジの編成コース（ステップ）を示し、ステップ１から開始してステップ５へ進む。図４の（Ｓ４）はステップ４の代わりに行ってもよい編成コースである。矢印はキャリッジの運動方向を示し、各コースの下側に示したヤーンフィーダーが先行で、キャリッジの先行のカムシステムで駆動され、上側に示したヤーンフィーダーが後行で、キャリッジの後行のカムシステムで駆動される。
【００２８】
図４の編地は、３番目のコースで、柄Ａが柄Ｂに対し１目幅で突き出している。図４では、ヤーンフィーダーｂを用いて、ステップ２，３でスムージング編成を行い、ヤーンフィーダーａではステップ３，４でスムージング編成を行う。ヤーンフィーダーｂを先行として、ステップ１の編成を行い、ステップ２で柄Ａが突き出す区間に対して、約半分の編目を形成し、ステップ３でこの区間の残る編目をヤーンフィーダーｂにより編成する。スムージング編成を行う区間に対して、ヤーンフィーダーａはタック以外は関与していない。ステップ３の後行で、ヤーンフィーダーａを用いてスムージング編成の往路の編成を行い、ステップ４でヤーンフィーダーａを先行とし、スムージング編成の復路の編成を行う。
【００２９】
ステップ４では、ヤーンフィーダーｂを先行、ヤーンフィーダーａを後行として編成を開始し、途中でヤーンフィーダーｂの連行を解除し、ヤーンフィーダーａにより１コース分編成した後に、キャリッジを編成動作無しに空のまま反転させてヤーンフィーダーｂを連行し少し連れ戻すという蹴り返しを行う。そしてキャリッジを反転させてヤーンフィーダーｂを再度連行し、残る区間を編成する。これによりスムージング編成の往路と復路の間に、ヤーンフィーダーｂによる編成が関与するのを防止する。なおこのような蹴り返しを用いた編成に代えて、図４の（Ｓ４）に示したように、ヤーンフィーダーａをこのコースの全区間での先行とし、ヤーンフィーダーｂを全区間の後行としてもよい。この場合、ヤーンフィーダーａで形成するタック目の位置が、前のコースのステップ３で形成した柄Ｂの編目上となり、タック位置がコース方向に１目ずれる。図４の編成では、一方の柄が他方の柄にコース方向１目の幅で突き出しているデザインでも、糸の飛びを生じずに編成できる。
【００３０】
図５は、柄Ａと柄Ｂの境界が例えば小さな幅で変化する例である。ヤーンフィーダーｂを先行としてステップ１の編成を行い、ステップ２で次のコースの編目列に対してヤーンフィーダーｂでスムージング編成の往路を行う。ステップ３ではヤーンフィーダーｂを利用して、スムージング編成の復路を行い、後行のヤーンフィーダーａによりスムージング編成の往路を行う。そしてステップ４でヤーンフィーダーａによるスムージング編成の復路を行う。このようにすると、柄Ａと柄Ｂの境界が不連続にジャンプするデザインでも、糸の飛びが生じない。
【００３１】
図６は、図５とは逆に、柄Ｂが柄Ａ中に突き出していくデザインを示している。この編成では、ヤーンフィーダーｂを先行として編成する。ステップ２で、途中でヤーンフィーダーｂの連行を解除し、例えばヤーンフィーダーａによる編成を終えた後に、キャリッジを編成動作無しに空のまま反転させてヤーンフィーダーｂを蹴り返し、そしてキャリッジを反転させてヤーンフィーダーｂを再度連行し、残りの区間を編成する。このようにして、ヤーンフィーダーｂによるスムージング編成の往路を行い、ステップ３でヤーンフィーダーｂを先行に戻して、スムージング編成の復路を行う。なおステップ２では、括弧内に破線で示したように、ヤーンフィーダーｂを最初から後行として動作させても良い。ステップ３では、ヤーンフィーダーｂによるスムージング編成の復路の他に、ヤーンフィーダーａによるスムージング編成の往路を行い、ステップ４で途中からヤーンフィーダーａを先行に変化させ、スムージング編成の復路を行う。このためステップ４では、ヤーンフィーダーｂは最初先行としてスタートし、途中から後行に切り替えられている。
【００３２】
図７，図８に蹴り返しによる柄の入れ代わりの防止を示す。なお柄の入れ代わりは、図４，図５で示したように、ヤーンフィーダーの先行後行の順序を変化しても防止できる。図７の(a)は元々のデザインを示し、(b)は蹴り返しを行わずに、ヤーンフィーダーやキャリッジの動作にデザインを展開した例を示し、(c)は蹴り返しを加えた例を示す。コース３で、左側の柄が右側に突き出している。そして左側の柄を編成するためのヤーンフィーダーを先行、右側の柄を編成するためのヤーンフィーダーを後行に割り当て、(b)のようにすると、コース２の先行で、左側の柄のスムージング編成の往路を処理した後、コース３で復路を処理する間に、後行のヤーンフィーダーにより同じ区間に給糸されてしまう。これでは１コース分の編目の間に、後行の編目列が加わり、柄が入れ代わってしまう。
【００３３】
そこで(c)のように蹴り返しを行い、コース０，１を処理した後、先行のヤーンフィーダーを利用して区間Ａを編成し、後行のヤーンフィーダーで区間Ｂを編成し、次いで区間Ｃの開始位置までキャリッジを空のままで、即ち編成動作無しで反転させて、先行のヤーンフィーダーを利用し区間Ｃを編成する。この区間はスムージング編成の往路である。次いで例えば区間Ｄを編成した後、先行のヤーンフィーダーを用いて区間Ｅを編成する。なお、区間Ｂの編成後に区間Ｄを編成し、ここから蹴り返して区間Ｃと区間Ｅとを順に編成しても良い。
【００３４】
図８は図７と同様のデザインであるが、先行側のヤーンフィーダーで編成する柄が増える区間（コース２）で、キャリッジの移動方向を逆にしてある。図８の(b)では、コース１の後行でスムージング編成の往路を行い、コース２の後行でスムージング編成の復路を行う。ところがコース２の先行で、先行のヤーンフィーダーが同じ区間に対して給糸するため、柄の入れ代わりが生じる。そこで(c)のように、蹴り返しを行って編成の順序を変更する。コース１の区間Ｂを先行のヤーンフィーダーで、区間Ａを後行のヤーンフィーダーで編成し、区間Ａの後半でスムージング編成の往路を行う。コース２の区間Ｃを先行のヤーンフィーダーで、区間Ｄを後行のヤーンフィーダーで編成し、区間Ｄの最初にスムージング編成の復路を行う。そしてキャリッジを蹴り返して、残る区間Ｅを編成する。
【００３５】
図９に、スムージング編成により得られる編地を模式的に示す。５０はスムージング編成の前のコースの編目列で、５２，５３はスムージング編成による編目である。そして図９の場合、２つの編目５２，５２がスムージング編成の往復の一方で編成され、編目５３，５３がスムージング編成の他方で編成され、編目５２と５２の間や、編目５３，５３の間には、僅かな糸の飛びがあるが、飛びの範囲が僅かなので、指が引っ掛かったりすることはない。図１０に、実施例でのインターシャ編成に適したデザインの例を示す。６０，６２，６４は糸の種類が異なる柄で、これらをインターシャ編成する。すると柄境界のジャンプ個所６６などが生じるが、このような区間があっても糸の飛びの発生無しで編成できる。図９では編目５２，５３が１目置きに生じるようにしたが、これらを例えば２目ずつ配置し、２目毎に入れ替わるようにしても良い。
【００３６】
実施例では以下の効果が得られる。
(1)  インターシャ柄の境界が不連続にジャンプしても、糸の飛びが生じない。
(2)  インターシャ柄の一方の柄が、コース方向１目分の幅で突き出す場合にも、糸の飛び無しで編成できる。
(3)  スムージング編成の往路と復路の間に、他の糸による編成が介在して柄が入れ代わることを防止できる。
(4)  このようなインターシャ編成をサポートするニットデザイン装置や編成プログラムが得られる。
【図面の簡単な説明】
【００３７】
【図１】実施例のニットデザイン装置のブロック図
【図２】実施例の編成アルゴリズムを示すフローチャート
【図３】実施例の編成プログラムのブロック図
【図４】実施例での、柄Ａが１目の幅で柄Ｂ内に突き出したデザインの編成手順図
【図５】実施例での、柄Ａと柄Ｂの境界がジャンプするデザインの編成手順図
【図６】図５と逆に柄Ｂの範囲が増すデザインに対する、実施例の編成手順図
【図７】実施例での、蹴り返しによる柄の入れ代わりの防止を示す編成手順図で、(a)は元のデザインを、(b)は蹴り返しを行わない編成手順を、(c)は蹴り返しを行う編成手順を示す。
【図８】図７と同様のデザインに対してキャリッジの運動方向を逆にした際の、実施例での編成手順図で、(a)は元のデザインを、(b)は蹴り返しを行わない編成手順を、(c)は蹴り返しを行う編成手順を示す。
【図９】実施例でのスムージング編成による編組織を示す図
【図１０】実施例でのスムージング編成に適した編地のデザイン例を示す図
【図１１】従来例で１目の幅で柄Ａが柄Ｂに突き出したデザインを編成する際の、糸の飛びを示す図
【図１２】従来例で柄Ａと柄Ｂの境界がジャンプする際の、糸の飛びを示す図
【符号の説明】
【００３８】
２              ニットデザイン装置
４              デジタイザ
６              キーボード
８              モニタ
１０            カラープリンタ
１２            ＬＡＮインターフェース
１４            ディスクドライブ
１６            メモリ
１８            データ変換部
２０            ジャンプ検出部
２２            蹴り返し判定部
２４            スムージング編成部
３０            横編機
４０            編成プログラム
４２            ジャンプ検出命令
４４            蹴り返し判定命令
４６            スムージング編成命令
５０            前コースの編目列
５２，５３      スムージング編成による編目
６０〜６４      柄
６６            柄境界のジャンプ個所
１０２          柄Ａ用のヤーンフィーダーの軌跡
１０４          柄Ｂ用のヤーンフィーダーの軌跡
１０５          突出部
１０６〜１１２  糸の飛び
【図１】
2005232603.tif 000003
【図２】
2005232603.tif 000004
【図３】
2005232603.tif 000005
【図４】
2005232603.tif 000006
【図５】
2005232603.tif 000007
【図６】
2005232603.tif 000008
【図７】
2005232603.tif 000009
【図８】
2005232603.tif 000010
【図９】
2005232603.tif 000011
【図１１】
2005232603.tif 000012
【図１２】
2005232603.tif 000013
【図１０】
2005232603.tif 000014